(57)【要約】【課題】差込部を地面に対して斜めに差し込んだとしてもボールを皿部に乗せることが可能であり、耐久性に優れ、ボールの飛距離を伸ばすことが可能なゴルフティーを提供する。【解決手段】上端にボールを乗せるための皿部１６を備え、下端に位置を固定するための差込部１７を備えたゴルフティー１０において、前記皿部１６を備えるとともに、下端１１ａを緩やかに湾曲した凸面１１ａ１に成形した上半部１１と、前記差込部１７を備え、上端１２ａを前記凸面１１ａ１を受ける凹面１２ａ１に成形し、前記上半部１１とは別体とした下半部１２と、前記上半部１１の接合部外周と、下半部１２の接合部外周を嵌め込んで、前記凸面１１ａ１と凹面１２ａ１を軸方向に当接させた接合部１３ａを形成する、可撓性あるいは弾性を有するチューブ１３とを備えたことを特徴とするゴルフティー１０を提供する。【選択図】図１
2011143024.tif 000002
【特許請求の範囲】
【請求項１】
上端にボールを乗せるための皿部を備え、下端に位置を固定するための差込部を備えたゴルフティーにおいて、
前記皿部を備えるとともに、下端を緩やかに湾曲した凸面に成形した上半部と、
前記差込部を備え、上端を前記凸面を受ける凹面に成形し、前記上半部とは別体とした下半部と、
前記上半部の接合部外周と、下半部の接合部外周を嵌め込んで、前記凸面と凹面を軸方向に当接させた接合部を形成する、可撓性あるいは弾性を有するチューブと、
を備えたことを特徴とするゴルフティー。
【請求項２】
前記凹面は上半部の下端に形成されるとともに、前記凸面は下半部の上端に形成されることを特徴とする請求項１に記載のゴルフティー。
【請求項３】
前記チューブは、前記上半部の接合部外周と前記下半部の接合部外周より僅かに内周が小さいことを特徴とする請求項１又は２に記載のゴルフティー。
【請求項４】
前記凸面は球面に形成されるとともに、前記凹面は当該凸面の球面を受ける球面に形成されることを特徴とする請求項１乃至３に記載のゴルフティー。
【請求項５】
前記凹面の曲率半径は、前記凸面の曲率半径を１００％とした場合に１００％乃至１２０％の範囲であることを特徴とする請求項１乃至４に記載のゴルフティー。
【発明の詳細な説明】
【技術分野】
【０００１】
本発明は、ゴルフティーに関し、詳しくは、差込部を地面に対して斜めに差し込んだとしてもボールを皿部に乗せることが可能であり、耐久性に優れ、更にボールの飛距離を伸ばすことが可能なゴルフティーに関する。
【背景技術】
【０００２】
従来のゴルフティーでは、当該ゴルフティーに乗せられたボールをゴルフクラブのクラブヘッドで打った際に、当該ゴルフティーの飛散を防止するとともに、打たれたボールの飛距離を伸ばすための様々な技術的手段が採用されている。
【０００３】
例えば、ゴルフティーとして、地面への突き刺し部と、当該突き刺し部の上部に設けられたボール載せ部と、このボール載せ部の上部に一体的に平面視放射状に複数設けられ、ボールを前記ボール載せ部から浮かせた状態で支持する可撓性の支持片とを備えたゴルフティーが知られている。当該構成により、支持片により浮いた状態のボールをクラブヘッドで打った際に、クラブヘッドの打撃が殆どボールに伝達することとなるから、ボールとゴルフティーとの摩擦を最小限に少なくするとともに、クラブヘッドの打撃の抵抗を小さくする。その結果、ゴルフティーの飛散を防止するとともに、ボールの飛距離を向上させるとしている。
【０００４】
しかしながら、通常、クラブヘッドがボールに当たった瞬間には、非常に大きな打撃（約１〜１．５トン程度）が当該ボールに印加されるため、当該ボールを浮かせた状態であるにも関わらず、上述したゴルフティーの支持片に前記打撃が伝達する。当該支持片は可撓性を有しているものの、ボール載せ部の上方で固定された状態であるから、ボールからのクラブヘッドの打撃が当該支持片とボール載せ部との付根部分に伝達、蓄積し、その結果、当該支持片がボール載せ部から飛散してしまうという問題があった。
【０００５】
このような問題を解決する技術として、特開２００４−２５４９６２号公報（特許文献１）には、地面への突き刺し部と、この突き刺し部の上部に設けられた全体形状略筒状のボール載せ部と、このボール載せ部と前記突き刺し部とを連結する、フランジ付きの、可撓性を有する連結部材とを備え、前記ボール載せ部の底部に、前記連結部材の挿通穴と上記フランジ部と当接可能な段部とが形成されていて、ボール載せ部が前記連結部材に沿ってスライド可能となっているゴルフティーであって、前記連結部材のフランジ部に、空気逃がし穴が設けられていることを特徴とするゴルフティーが開示されている。
【０００６】
当該構成により、ボール載せ部にボールを載せて突き刺し部を地面に差し込み、ボールをゴルフクラブのクラブヘッドで打った際に、ボール載せ部が可撓性を有する連結部材に沿ってスライドし、打撃時の抵抗を低減させることが出来るとしている。そして、前記連結部材のフランジ部に、空気逃がし穴が設けられているので、ボールが打たれてボール載せ部が連結部材に沿って急速にスライドする際に、ボール載せ部内にある空気が上記逃がし穴を通って逃がされ、ボール載せ部の急速なスライドがスムーズになされることとなり、結果として、ボール打撃時の抵抗がより一層低減されるとしている。
【０００７】
又、特開２００６−３４１０１６号公報（特許文献２）には、ゴルフボール（２）を載せる載置部（３）と、地面（Ｇ）に差し込まれる差し込み部（４）と、この載置部（３）と差し込み部（４）とを連結する弾性変形可能な連結部（５）とが合成樹脂により一体に成形されており、前記連結部（５）は、差し込み部（４）の軸心方向（Ｙ）に平行な連結柱部（７）と、この連結柱部（７）に直交する薄板部（８）とを前記軸心方向（Ｙ）に沿って交互に連結して構成されていることを特徴とするゴルフティーが開示されている。
【０００８】
当該構成により、ゴルフティーを合成樹脂で一体に形成して組み立て作業をなくし、かつ、ゴルフボールを載せる載置部と地面に差し込む差し込み部の間を弾性変形可能にして、ゴルフボールを打ったときに加わる高衝撃を吸収して、長寿命化、および飛散距離を可及的に短くできるとしている。
【先行技術文献】
【特許文献】
【０００９】
【特許文献１】特開２００４−２５４９６２号公報
【特許文献２】特開２００６−３４１０１６号公報
【発明の概要】
【発明が解決しようとする課題】
【００１０】
しかしながら、特許文献１に記載の技術では、ボール載せ部に載せられたボールをクラブヘッドで打った際に、ボール載せ部が、可撓性を有する連結部材に沿ってクラブヘッドの移動方向（ボールの進行方向）にスライドするものの、ボール載せ部がクラブヘッドの移動方向にスライド出来る距離は限られているから、連結部材がクラブヘッドの移動方向に向かって屈曲し、その結果、スライドし終えたボール載せ部が屈曲することとなる。そのため、クラブヘッドでボールを打つ毎に、前記連結部材の屈曲部にクラブヘッドの打撃が伝達、蓄積し、当該連結部材が切断（破壊）され易いという問題がある。前記連結部材が切断されると、ボール載せ部は突き刺し部から飛散する。
【００１１】
又、特許文献２に記載の技術でも、ボールを打った際に、弾性変形可能な連結部がクラブヘッドの打撃を吸収するとともに屈曲することにより、載置部が差し込み部に対して屈曲する構成である。そのため、所定回数、ゴルフティーを使用すると、上述したように、連結部の屈曲部にクラブヘッドの打撃が蓄積し、当該連結部が切断されやすいという問題が未だに残っている。
【００１２】
更に、前記特許文献１又は２に記載の技術では、ゴルフティーの突き刺し部（差し込み部）が水平面をなす地面に対して垂直に差し込まれることが前提となっている。ゴルフティーを突き刺すティーグランド（地面）は、場所や天候によって、地面に対して垂直に差し込めない場合がある。例えば、前記地面の中で、石や草の根等からなる硬い領域と、砂等からなる柔らかい領域とが混在した状態で、ゴルフティーの突き刺し部が当該硬い領域に当接（接触）して当該地面に対して不可避的に斜めにしか突き刺せない場合がある。斜めに突き刺したゴルフティーのボール載せ部のボール載せ面は、当然水平面とならないため、ボール載せ面に載せたボールがボール載せ部から転がり落ちてしまうという問題がある。当該問題が発生すると、例えば、再度、ゴルフティーを地面に差し直したり、ゴルフティーを強制的に傾斜させたりする必要があり、ボールをセットするために無駄な時間を要し、例えば、複数のゴルフプレイヤーが順次コースを巡回する場合には、当該無駄な時間による遅延プレイを誘発する可能性もある。
【００１３】
そこで、本発明は、前記問題を解決するためになされたものであり、本発明者が鋭意研究を行った結果、画期的なアイデアに基づき、差込部を地面に対して斜めに差し込んだとしてもボールを皿部に乗せることが可能であり、耐久性に優れ、更にボールの飛距離を伸ばすことが可能なゴルフティーを提供することを目的とする。
【課題を解決するための手段】
【００１４】
上述した課題を解決し、目的を達成するために、以下のゴルフティーを採用する。即ち、上端にボールを乗せるための皿部を備え、下端に位置を固定するための差込部を備えたゴルフティーを前提とする。
【００１５】
当該ゴルフティーにおいて、前記皿部を備えるとともに、下端を緩やかに湾曲した凸面に成形した上半部と、前記差込部を備え、上端を前記凸面を受ける凹面に成形し、前記上半部とは別体とした下半部と、前記上半部の接合部外周と、下半部の接合部外周を嵌め込んで、前記凸面と凹面を軸方向に当接させた接合部を形成する、可撓性あるいは弾性を有するチューブとを備える。
【００１６】
当該構成により、前記上半部の下端と前記下半部の上端とが当接することにより、両者が摺接（摺動）可能な状態となる。さらに、当該状態で、前記チューブの内周面が当該下端の外周面（接合部外周面）と当該上端の外周面（接合部外周面）とに当接（付勢）して上半部と下半部とを連結するため、上半部を下半部に対して屈曲させると、チューブの内周面と上半部の下端の外周面との当接面（付勢面）の位置がズレて、当該上半部が前記下半部に対して屈曲したままの状態となる。そのため、ゴルフティーを地面に対して斜めに差し込んだとしても、上半部の有する皿部のボール乗せ面を水平面となるように当該上半部を屈曲させて当該屈曲状態とすれば、ボールを皿部に容易に乗せることが可能となる。
【００１７】
又、上半部の下端の外周面とチューブの内周面との当接面の位置がズレることにより、当該上半部が前記下半部に対して屈曲するため、クラブヘッドで皿部に乗せられたボールを打った際に、当該クラブヘッドの打撃により上半部が屈曲しても、当該チューブが著しく伸張・圧縮されることがなく、当該クラブヘッドの打撃による影響を受け難くなる。その結果、クラブヘッドの打撃によるチューブの切断頻度を、従来技術の、屈曲機能を担っていた弾性の連結部材の切断頻度と比較すると著しく低くすることが可能となり、ゴルフティーの耐久性を向上させることが可能となる。又、一度、上半部が屈曲すると、当該上半部の下端の外周面とチューブの内周面との当接面の位置がズレたままの状態となり易いため、屈曲した上半部は元に戻り難くなる。そのため、クラブヘッドでボールを打った際のボール又はクラブヘッドに対する当該上半部の摩擦抵抗を最小限に抑えることが可能となり、その結果、ボールの飛距離を伸ばすことが可能となる。
【００１８】
尚、前記チューブに、前記上半部の接合部外周と前記下半部の接合部外周を嵌め込んでいるため、当該上半部の凸面と当該下半部の凹面とが軸方向に当接した状態で当該チューブの内部に当該上半部の下端と当該下半部の上端とが包含（内在）していることになる。
【００１９】
又、前記ゴルフティーにおいて、前記凹面は上半部の下端に形成されるとともに、前記凸面は下半部の上端に形成されても構わない。
【００２０】
又、前記ゴルフティーにおいて、前記チューブは、前記上半部の接合部外周と前記下半部の接合部外周より僅かに内周が小さいよう構成することが可能である。
【００２１】
又、前記ゴルフティーにおいて、前記凸面は球面に形成されるとともに、前記凹面は当該凸面の球面を受ける球面に形成されても構わない。
【００２２】
尚、前記凸面を球面に、前記凹面を当該凸面の球面を受ける球面に形成する構成は、いわゆる球関節構造を模した構成であり、凸面を有する部分をヘッドと、凹面を有する部分をソケットと称する場合がある。
【００２３】
又、前記ゴルフティーにおいて、前記凹面の曲率半径は、前記凸面の曲率半径を１００％とした場合に１００％乃至１２０％の範囲であるよう構成することが可能である。
【発明の効果】
【００２４】
本発明のゴルフティーによれば、上半部を下半部の差込部の差込方向に対して所定の屈曲角で屈曲させた状態とすることが可能となるため、差込部を地面に対して斜めに差し込んだとしても、上半部の皿部のボール乗せ面を容易に水平面とすることが可能となる。そのため、差込部を地面に対して斜めに差し込んだとしてもボールを皿部に乗せることが可能となる。又、前記上半部の下端と前記下半部の上端とが当接して両者が摺接（摺動）可能な状態となることによって、クラブヘッドで上半部の皿部のボールを打った際に、当該上半部がクラブヘッドの移動方向に円滑に屈曲するため、当該屈曲が、連結部材であるチューブの伸張・圧縮により生じ難くなる。そのため、ゴルフティーを繰り返し使用しても、当該チューブに負担が少なく当該チューブが切断され難く、ゴルフティーの使用回数を増加させ、ゴルフティーの耐久性を向上させることが可能となる。又、一度屈曲した上半部は元に戻り難いため、クラブヘッドに対する当該上半部の摩擦抵抗を最小限に抑え、ボールの飛距離を伸ばすことが可能となる。
【図面の簡単な説明】
【００２５】
【図１】本発明の第一の実施形態に係るゴルフティー示す図である。
【図２】本発明の第一の実施形態に係るゴルフティーと従来技術に係るゴルフティーとの使用状態を示す第一の図である。
【図３】本発明の第一の実施形態に係るゴルフティーの使用状態を示す第二の図である。
【図４】従来技術に係るゴルフティーの使用状態を示す第三の図である。
【図５】本発明の第二の実施形態に係るゴルフティーを示す図である。
【図６】本発明の他の実施形態に係るゴルフティーを示す図である。
【発明を実施するための最良の形態】
【００２６】
以下に本発明の実施形態に係るゴルフティーを図面に基づき詳細に説明するが、本発明は、これに限定されるものではない。
【００２７】
＜本発明の第一の実施形態＞
まず、本発明の第一の実施形態に係るゴルフティー１０の構成について説明する。
【００２８】
図１は、本発明の第一の実施形態に係るゴルフティー１０示す図であり、図１ａは平面図、図１ｂは正面図、図１ｃは底面図、図１ｄは図１ａにおけるＡ−Ａ線断面図、図１ｅは分解正面図、図１ｆは上半部１１の下端１１ａと下半部１２の上端１２ａとを当接した際の状態を示す正面図である。尚、背面図、右側面図、左側面図は、正面図と同一にあらわれるため、省略する。
【００２９】
図１に示すように、本発明の第一の実施形態に係るゴルフティー１０は、ティーグランドでティーショットを行う際に、ボール（ゴルフボール）を支持するために使用される。
【００３０】
即ち、本発明のゴルフティー１０は、上端にボールを乗せるための皿部１６を備え、下端に位置を固定するための差込部１７を備えたゴルフティーである。
【００３１】
当該ゴルフティー１０は、前記皿部１６を備えるとともに、下端１１ａを緩やかに湾曲した凸面１１ａ１に成形した上半部１１と、前記差込部１７を備え、上端１２ａ（円柱形）を前記凸面１１ａ１を受ける凹面１２ａ１に成形し、前記上半部１１とは別体とした下半部１２と、前記上半部１１の接合部外周と、下半部１２の接合部外周を嵌め込んで、前記凸面１１ａ１と凹面１２ａ１を軸方向に当接させた接合部１３ａを形成する、可撓性あるいは弾性を有するチューブ１３とを備えている。当該構成により、差込部１７を地面に対して斜めに差し込んだとしてもボールを皿部１６に乗せることが可能であり、耐久性に優れ、更にボールの飛距離を伸ばすことが可能となる（後述する）。
【００３２】
尚、前記チューブ１３の材質のうち、可撓性とは、力が印加されると体積変化を伴うことなく当該力に沿って撓み、力が除去されると元に戻る性質を備えることを意味し、弾性とは、力が印加されると体積変化を伴って当該力に沿って変形（圧縮、伸張）し、力が除去されると元に戻る性質を備えることを意味する。
【００３３】
更に、本発明の第一の実施形態に係るゴルフティー１０について詳細に説明すると、前記下半部１２と前記上半部１１とは、可撓性を有する材料、例えば、硬くて高強度の汎用性合成樹脂で形成される。又、前記チューブ１３は、弾性を有するシリコンエラストマーで形成される。
【００３４】
又、前記チューブ１３は、前記上半部１１の接合部外周及び前記下半部１２の接合部外周より僅かに内周が小さい構成を採用する。ここで、当該チューブ１３の内周は、当該チューブ１３に対して前記上半部１１の下端１１ａ（凸面１１ａ１）及び前記下半部１２の上端１２ａ（凹面１２ａ１）を嵌め込む（嵌挿させる）前の内周に相当する。当該構成により、チューブ１３の内周面１３ｂが、上半部１１の下端１１ａの外周面１１ｂと下半部１２の上端１２ａの外周面１２ｂとに対して強固に当接（付勢）することがなく、更に、上半部１１の下端１１ａの外周面１１ｂがチューブ１３の内周面１３ｂに当接している箇所１３ｃ（当接面）がズレ易く（滑りやすく）なる。そのため、所定の強度でチューブ１３が上半部１１と下半部１２とを連結するとともに、上半部１１が微弱な力でも屈曲され、より一層、ゴルフティー１０の耐久性の向上とボールの飛距離の改善を図ることが可能となる。
【００３５】
ここで、図１ｅに示すように、前記上半部１１の接合部の形状が半球状であり、前記下半部１２の接合部の形状が凹面を含む円柱状であり、前記チューブ１３の形状が円筒状であれば、例えば、外周を（中心軸を中心とする）外周径（外径）に、内周を（中心軸を中心とする）内周径（内径）にそれぞれ対応付けて比較しても構わない。即ち、前記チューブ１３は、前記上半部１１の接合部外周径ｒ１（凸面１１ａ１と形成された下端１１ａの外周径ｒ１に対応）及び前記下半部１２の接合部外周径ｒ２（凹面１２ａ１と形成された上端１２ａの外周径ｒ２に対応）より僅かに内周径ｒ３が小さい構成（構成Ａとする）を採用することができる。
【００３６】
尚、当該構成Ａは、前記チューブ１３の材質が、可撓性あるいは弾性のいずれであっても適用することが出来るが、当該チューブ１３の材質に応じて当該チューブ１３の内周径ｒ３の大きさは適宜設計される。例えば、前記チューブ１３の材質がシリコンエラストマー等の弾性を有していれば、当該チューブ１３の内周径ｒ３が、前記上半部１１の下端１１ａの外周径ｒ１を１００％とした場合に４０％乃至９０％の範囲であり、かつ前記下半部１２の上端１２ａの外周径ｒ２を１００％とした場合に４０％乃至９０％の範囲であることが好ましい。当該構成とすると、前記チューブ１３の弾性力が前記上半部１１の下端１１ａと前記下半部１２の上端１２ａとに対して過度に作用することなく、上述した当接面１３ｃがクラブヘッドの打撃に応じて適度にズレ易くなり、本発明の作用・効果が顕著に現れて好ましい。例えば、図１に示す前記チューブ１３の材質は弾性であり、図１に示す前記チューブ１３の内周径ｒ３は、前記上半部１１の下端１１ａの外周径ｒ１及び前記下半部１２の上端１２ａの外周径ｒ２の約６２％に相当する。前記チューブ１３の厚みは、どのような寸法でも構わない。
【００３７】
尚、チューブ１３の内周径ｒ３が、前記上半部１１の下端１１ａの外周径ｒ１を１００％とした場合に４０％未満の範囲であり、又は前記下半部１２の上端１２ａの外周径ｒ２を１００％とした場合に４０％未満の範囲であると、チューブ１３（チューブ１３の両端の開口部）に、上半部１１の下端１１ａ及び下半部１２の上端１２ａを嵌め込むことが出来ず、仮に、嵌め込むことが出来たとしても、当該チューブ１３の内周面１３ｂが当該下端１１ａの外周面１１ｂと当該上端１２ａの外周面１２ｂとに強固に付勢してしまい、上半部１１の円滑な屈曲性が失われて好ましくない。又、チューブ１３の内周径ｒ３が、前記上半部１１の下端１１ａの外周径ｒ１を１００％とした場合に９０％を超える範囲であり、又は前記下半部１２の上端１２ａの外周径ｒ２を１００％とした場合に９０％を超える範囲であると、クラブヘッドの打撃により上半部１１が円滑に屈曲するものの、当該上半部１１の下端１１ａの外周面１１ｂがチューブ１３の内周面１３ｂを容易に滑ってしまい（前記当接部１３ｃの位置が容易にズレてしまい）、当該上半部１１の下端１１ａがチューブ１３から外れるか、下半部１２の上端１２ａの外周面１２ｂがチューブ１３の内周面１３ｂを容易に滑ってしまい、チューブ１３が下半部１２の上端１２ａから外れてしまうため、好ましくない。
【００３８】
又、前記チューブ１３の材質は、可撓性（あるいは弾性）を採用することが出来るが、力を加えると変形したままの状態を維持する性質である可塑性（あるいは粘性）が加えられた、軟質で且つ可撓性（あるいは軟質で且つ弾性）を採用すると好ましい。当該構成により、前記チューブ１３に、形状保持性が付与されることになり、当該チューブ１３が上半部１１と下半部１２とを所定の強度で連結して、上半部１１が下半部１２に対して起立させるとともに、上述したチューブ１３内部の当接面１３ｃの位置がズレ易くなり、一層、ゴルフティー１０の耐久性の向上とボールの飛距離の改善を図ることが可能となる。尚、形状保持性とは、一旦撓ませる（あるいは変形させる）と、その状態を維持することが可能な程度に剛性を備えることを意味する。
【００３９】
又、前記チューブ１３の材質は、可撓性あるいは弾性を採用することが出来るが、弾性よりも可撓性を採用すると、上述した当接面１３ｃの位置をズレ易くするとともに、クラブヘッドの打撃により屈曲した上半部１１が元の位置に戻り難くなり、本発明の作用・効果が顕著に現れて、好ましい。
【００４０】
又、前記上半部１１の凸面１１ａ１は球面に形成されるとともに、前記下半部１２の凹面１２ａ１は当該凸面１１ａ１の球面を受ける球面に形成される。当該構成により、前記凸面１１ａ１の球面と前記凹面１２ａ１の球面とが下半部１２の差込部１７の差込方向（下半部１２の中心軸ａ２）に対して３６０度、いずれの方向に対しても屈曲可能（摺動可能、摺接可能）となるため、上半部１１が、下半部１２の差込方向に対して３６０度、いずれの方向でも屈曲することが可能となる。その結果、差込部１７を地面に差し込んだ際に、当該地面がどのような向きで傾斜していても、上半部１１を所定の方向に自在に屈曲させてボール載せ面を水平面とすることが可能となるとともに、クラブヘッドでボールを打つ際に、任意の方向からでも当該ボールを打つことが可能となり、ユーザに対する利便性を向上させる。
【００４１】
又、前記凹面１２ａ１の曲率半径ｒ４は、前記凸面１１ａ１の曲率半径ｒ５を１００％とした場合に１００％乃至１２０％の範囲であると好ましい。当該構成により、上半部１１の下端１１ａの凸面１１ａ１と、下半部１２の上端１２ａの凹面１２ａ１とがより円滑に摺動（摺接）されることとなるため、当該上半部１１の下端１１ａと当該下半部１２の上端１２ａとからなる接合部１３ａがより微弱な力で屈曲されることとなり、更に、ゴルフティー１０の耐久性の向上とボールの飛距離の改善を図ることが可能となる。例えば、図１に示す下半部１２の凹面１２ａ１の球面の曲率半径ｒ４は、前記凸面１１ａ１の球面の曲率半径ｒ５を１００％とした場合に１００％に相当する。
【００４２】
尚、前記凹面１２ａ１の球面の曲率半径ｒ４が、前記凸面１１ａ１の球面の曲率半径ｒ５を１００％とした場合に１２０％を超える範囲であると、上半部１１が下半部１２に対して起立させ難く、ボールを上半部１１の皿部１６のボール乗せ面１６ａに置くと、当該上半部１１がグラついて、当該ボールが転げ落ちてしまうため、好ましくない。又、前記凹面１２ａ１の球面の曲率半径ｒ４が、前記凸面１１ａ１の球面の曲率半径ｒ５を１００％とした場合に１００％未満の範囲であると、当該凹面１２ａ１に当該凸面１１ａ１が当接（係合）出来なくなり、好ましくない。
【００４３】
又、上半部１１の本体と当該上半部１１の下端１１ａとの間に、本体の中心軸ａ１と同一の軸とする円柱状の第一の付根部１１ｃが設けられ、第一の付根部１１ｃの外周径ｒ６が、前記上半部１１の下端１１ａの外周径ｒ１よりも小さく設計されている。更に、前記上半部１１の下端１１ａが嵌め込まれたチューブ１３の一方（上方）の開口部１３ｄ（上端に対応）は、当該下端１１ａを覆って第一の付根部１１ｃに至るまで延長されている。当該構成により、第一の付根部１１ｃと前記上半部１１の下端１１ａとの間に段差１１ｄが形成されるとともに、当該下端１１ａが嵌め込まれたチューブ１３の一方の開口部１３ｄ側の内周面１３ｂが当該段差１１ｄに当接（付勢）する（引っ掛かる）ため、上半部１１の下端１１ａがチューブ１３から外れ難くなる。
【００４４】
更に、上半部１１の第一の付根部１１ｃの上端の外周面には、外側に向かって突出した円環状のフランジ１４が形成されるとともに、チューブ１３の一方の開口部１３ｄは、当該フランジ１４の下端１４ａに当接するまで延長されている。当該構成により、ユーザがゴルフティー１０を取り扱う際に、指がチューブ１３の一方の開口部１３ｄに接触することなくフランジ１４に接触することとなるため、指の接触によりチューブ１３の一方の開口部１３ｄが引きずられて落ちることなく、当該チューブ１３を上半部１１の下端１１ａに嵌め込ませたままの状態にしておくことが可能となる。
【００４５】
又、下半部１２の本体と当該下半部１２の上端１２ａとの間に、本体の中心軸ａ２と同一の軸とする円柱状の第二の付根部１２ｃが設けられ、第二の付根部１２ｃの外周径ｒ７が、前記下半部１２の上端１２ａの外周径ｒ２よりも小さく設計している。更に、前記下半部１２の上端１２ａが嵌め込まれたチューブ１３の他方（下方）の開口部１３ｅは、当該上端１２ａを覆って第二の付根部１２ｃに至るまで延長されている。当該構成により、上半部１１の下端１１ａと同様に、第二の付根部１２ｃと前記下半部１２の上端１２ａとの間に段差１２ｄが形成されるとともに、当該上端１２ａが嵌め込まれたチューブ１３の他方の開口部１３ｅ側の内周面１３ｂが当該段差１２ｄに当接するため、下半部１２の上端１２ａがチューブ１３から外れ難くなる。
【００４６】
更に、下半部１２の第二の付根部１２ｃの下端の外周面には、外側に向かって突出したグランド係止部１５が形成されるとともに、チューブ１３の他方の開口部１３ｅは、当該グランド係止部１５の上端１５ａに当接するまで延長されている。当該構成により、上半部１１のフランジと同様に、指がチューブ１３の他方の開口部１３ｂに接触せずに前記グランド係止部１５に接触するため、指の接触によりチューブ１３の他方の開口部１３ｂが上方にずれることなく、当該チューブ１３を下半部１２の上端１２ａに嵌め込ませたままの状態にしておくことが可能となる。
【００４７】
又、下半部１２のグランド係止部１５は、上端１５ａが当該下半部１２の上端１２ａの外周径ｒ２と同一の外周径を有するとともに、下端１５ｂが上端１５ａから下方に向かうに連れて次第に拡径される傘状に形成されている。当該構成により、指で下半部１２の差込部１７を地面に差し込む際に、指がグランド係止部１５の上面１５ｃに当接（接触）するので、指の押圧が下半部１２に伝達し易くなり、ゴルフティーの下半部１２を地面に差し込み易くする。
【００４８】
又、下半部１２のグランド係止部１５は、上半部１１と下半部１２とを連結するチューブ１３の直下に設けられる。当該構成により、ゴルフティー１０を指で摘んで、当該ゴルフティー１０を地面に差し込む際に、指が最も頻繁に接触する箇所であるグランド係止部の直上付近の箇所が弾性のチューブ１３で丁度覆われた構成となり、チューブ１３の外周面が指に対する滑り止め機能を発揮することとなり、指でゴルフティー１０を摘み易くするとともに、指でゴルフティー１０を地面に差し込み易くする。
【００４９】
尚、上述した上半部１１の皿部１６のボール乗せ面１６ａは、上端が上半部１１の本体の中心軸ａ１の中心に向かうに連れて次第に下方側に凹む皿状に形成されている。
【００５０】
又、下半部１２の下端である差込部１７は、下方に向かうに連れて外周径が次第に小さくなる円錐状に形成されている。
【００５１】
＜本発明の実施形態に係るゴルフティーの作用・効果＞
ここで、本発明の実施形態に係るゴルフティー１０の作用・効果について説明する。尚、以下では、本発明の第一の実施形態に係るゴルフティー１０の作用・効果について説明しているが、後述する第二の実施形態に係るゴルフティーであっても、他の実施形態に係るゴルフティーであっても、同一の作用・効果を奏する。
【００５２】
まず、本発明の第一の実施形態に係るゴルフティー１０の差込部１７を地面に対して斜めに差し込んだとしてもボールを皿部１６に乗せることが可能であることについて説明する。
【００５３】
図２は、本発明の第一の実施形態に係るゴルフティー１０と従来技術に係るゴルフティー５０との使用状態を示す第一の図である。
【００５４】
図２ａに示すように、ユーザが、本発明の第一の実施形態に係るゴルフティー１０の差込部１７を、水平面をなすティーグランドＧ（地面）に対して垂直に差し込む際に、何らかの理由により垂直に差し込むことが出来ず、地面に対して所定の角度αで差し込まれたとする。すると、上半部１１の皿部１６のボール乗せ面１６ａは地面（水平面）に対して前記角度αで傾斜することになる。
【００５５】
ここで、ユーザが、前記上半部１１を、下半部１２の差込部１７の差込方向（下半部１２の中心軸ａ２）に対して前記角度αだけ右方向に屈曲させると、当該上半部１１の下端１１ａが下半部１２の上端１２ａに対して摺動し、当該上半部１１が傾く。その際に、上半部１１の本体の中心軸ａ１に対して左側に位置する、上半部１１の下端１１ａの外周面１１ｂとチューブ１３の内周面１３ｂとの左側当接面２１がチューブ１３内部で上方にズレる。それと同時に、上半部１１の本体の中心軸ａ１に対して右側に位置する、上半部１１の下端１１ａの外周面１１ｂとチューブ１３の内周面１３ｂとの右側当接面２２がチューブ１３内部で下方にズレる。このように、上半部１１が屈曲する（傾く）場合、左側当接面２１と右側当接面２２とがズレるだけなので、図２ｂに示すように、上半部１１が所定の角度αだけ屈曲した状態となる。そのため、ユーザが、上半部１１を前記角度αだけ右側に傾ければ、当該上半部１１の皿部１６のボール乗せ面１６ａは水平面となる。その結果、ユーザは、ゴルフティー１０を地面Ｇに差し直したりすることなく、一回のゴルフティー１０の差し込み作業だけで、水平面となったボール乗せ面１６ａにボールＢを載せることが可能となる。
【００５６】
一方、図２ｃに示すように、ユーザが、上述と同様に、従来技術に係るゴルフティー４０（例えば、特許文献１に記載のゴルフティー）の突き刺し部４１を地面Ｇに対して所定の角度αで差し込むと、ボール載せ部４２のボール載せ面４２ａ（複数の支持片からなるボール載せ面）が水平面に対して前記角度αで傾斜することになる。
【００５７】
この場合、ボール載せ部４２を所定の角度で自在に屈曲した状態に保持することが出来ないため、仮に、ボールＢをボール載せ面４２ａに載せても、図２ｃに示すように、当該ボールＢは下方へ転げ落ちることになる。結局、ボール載せ部４２のボール載せ面４２ａが水平面となるように、ゴルフティー４０を、再度、所定の角度で前記地面Ｇに差し直したり、既に地面Ｇに突き刺されたゴルフティー４０全体を地面Ｇに対して傾けたりしなければ、ボールＢをボール載せ面４２ａに載せることが出来ないことが理解される。
【００５８】
尚、図２では、従来技術に係るゴルフティー４０として特許文献１に記載のゴルフティーを取り上げて説明したが、ボール載せ部４２を突き刺し部４１に対して屈曲させた状態のままにすることが出来ない、他の従来技術に係るゴルフティーであっても同様である。
【００５９】
又、上述した本発明の第一の実施形態に係るゴルフティー１０の作用・効果は、前記チューブ１３の材質を軟質で且つ可撓性あるいは軟質で且つ弾性とすると、顕著に現れるため、好ましい。
【００６０】
次に、本発明の第一の実施形態に係るゴルフティー１０が耐久性に優れるとともにボールの飛距離を伸ばすことが可能であることについて説明する。
【００６１】
図３は、本発明の第一の実施形態に係るゴルフティー１０の使用状態を示す第二の図である。
【００６２】
図３ａに示すように、ユーザが、本発明の第一の実施形態に係るゴルフティー１０の皿部１６のボール乗せ面１６ａにボールＢを載せて、ゴルフクラブのクラブヘッドＨで当該ボールＢを打つと、当該ボールＢは、クラブヘッドＨの移動方向（図３ａでは右方向）に強い打撃（打撃力）を受け、クラブヘッドＨの移動方向に飛んでいく。又、当該ボールは、ボール乗せ面１６ａに接触していることから、ボールＢが受けたクラブヘッドＨの打撃は当該ボール乗せ面１６ａに伝達し、図３ｂに示すように、皿部１６を有する上半部１１は当該クラブヘッドＨの打撃を受けて、クラブヘッドＨの移動方向に屈曲することになる。
【００６３】
ここで、上半部１１の下端１１ａと下半部１２の上端１２ａとが当接して摺接（摺動）可能な状態であることから、当該上半部１１は微弱な力により屈曲し易く、クラブヘッドＨの打撃を受けると即時に下半部１２に対して屈曲する。そのため、クラブヘッドＨが当該上半部１１に対する抵抗力を受け難い。更に、前記上半部１１の下端１１ａの外周面１１ｂとチューブ１３の内周面１３ｂとの当接面３１の位置がチューブ１３内部でズレることにより、上半部１１が下半部１２に対して屈曲するため、当該当接面３１の位置ズレによりチューブ１３の内周面１３ｂが磨耗するものの、当該チューブ１３自体が屈曲する訳ではないため、チューブ１３が著しく伸張したり圧縮したりすることがない。その結果、チューブ１３自体が過度に磨耗・疲労することなく、チューブ１３の切断を防止し、ゴルフティー１０の耐久性を向上させることが可能となる。
【００６４】
更に、一度、上半部１１が屈曲すると、当該上半部１１の下端１１ａの外周面１１ｂとチューブ１３の内周面１３ｂとの当接面３１の位置がズレたままの状態となり易いため、屈曲した上半部１１は元の位置に戻り難い。そのため、クラブヘッドＨでボールＢを打った際のボールＢ又はクラブヘッドＨに対する当該上半部１１の摩擦抵抗を最小限に抑えることが可能となり、その結果、ボールＢの飛距離を伸ばすことが可能となる。
【００６５】
図４は、従来技術に係るゴルフティー４０の使用状態を示す第三の図である。
【００６６】
一方、ユーザが、図４ａに示すように、従来技術に係るゴルフティー４０（例えば、特許文献１に記載のゴルフティー）のボール載せ部４２に載せたボールＢを、ゴルフクラブのクラブヘッドＨで打つと、当該クラブヘッドＨの打撃によりボールＢがクラブヘッドＨの移動方向に飛んでいくとともに、当該ボールＢに接触しているボール載せ面４２ａを介してボール載せ部４２がクラブヘッドＨの打撃を受ける。当該クラブヘッドＨの打撃を受けたボール載せ部４２は、連結部材４３を介してクラブヘッドＨの移動方向にスライドし、所定の位置でスライドし終える。ボール載せ部４２がスライドし終えると、連結部材４３は可撓性（又は弾性）を有するため、図４ｂに示すように、当該連結部材４３がクラブヘッドＨの移動方向に向かって屈曲することにより、ボール載せ部４２が突き刺し部４１に対して屈曲する。
【００６７】
ここで、前記連結部材４３が屈曲すると、当該屈曲部４３ａにクラブヘッドＨの打撃が集中・蓄積するため、当該屈曲部４３ａが著しく伸張・圧縮することになる。そのため、当該屈曲部４３ａが過度に磨耗・疲労し、その結果、切断することになる。更に、前記連結部材４３が屈曲する場合、当該連結部材４３が可撓性（又は弾性）であれば、所定の復元力が発生するから、当該連結部材４３が屈曲すると同時に、復元力が働いて連結部材４３が元の位置に戻ろうとする。そうすると、当該連結部材４３の復元力によりクラブヘッドＨに対し所定の抵抗力が働くことになる。そのため、ユーザはクラブヘッドＨを十分にスイングすることが出来ず、その結果、ボールＢの飛距離が伸び難くなる。
【００６８】
尚、図４では、従来技術に係るゴルフティー４０として特許文献１に記載のゴルフティーを取り上げて説明したが、連結部材４３を可撓性（又は弾性）にしてボール載せ部４２を突き刺し部４１に対して屈曲させる、他の従来技術に係るゴルフティーであっても同様である。
【００６９】
又、上述した本発明の第一の実施形態に係るゴルフティー１０の作用・効果は、前記チューブ１３の材質を軟質で且つ可撓性あるいは軟質で且つ弾性とすると、顕著に現れるため、好ましい。
【００７０】
＜本発明の実施形態に係るゴルフティーに関する実験結果＞
次に、本発明の第一の実施形態に係るゴルフティー１０と従来技術に係るゴルフティー４０とを用いてゴルフをした際の私的な実験結果を以下に記載する。実験項目は、ゴルフティーの耐久性とボールの飛距離である。尚、以下では、本発明の第一の実施形態に係るゴルフティー１０の作用・効果について説明しているが、第二の実施形態に係るゴルフティーであっても、他の実施形態に係るゴルフティーであっても、同一の作用・効果を奏する。
【００７１】
まず、実施例として、図１に示した本発明の第一の実施形態に係るゴルフティー１０を用いて、下記のゴルフティーの耐久性試験とボールの飛距離試験とを実施した。
【００７２】
即ち、ゴルフティーを差し込むことが可能なティーグランドを有するゴルフ練習場（ゴルフ打ちっぱなし場）で、実施例に係るゴルフティー１０を用いてボールを打った。ボールを打つ場合、ドライバでフルスイングすることとし、フルスイング毎のボールの飛距離を記録した。飛距離の単位は、ヤード（１ヤードは０．９１４ｍ）とした。フルスイングの回数は、フルスイング時にゴルフティーの上半部１１が飛散するまで継続した。フルスイングの回数をゴルフティーの耐久性試験の結果とし、記録したボールの飛距離の平均値をボールの飛距離試験の結果とした。
【００７３】
上述した試験を実施した結果、フルスイングの回数が６０回目で、実施例に係るゴルフティー１０のチューブ１３が切断して、上半部１１が飛散した。又、上半部１１が飛散した時点までのボールの飛距離の平均値を算出したところ、２３０ヤードであった。
【００７４】
次に、比較例として、図４に示した従来技術のゴルフティー４０（特許文献１に記載のゴルフティー）を用いて、上述したゴルフティーの耐久性試験と、ボールの飛距離試験とを実施した。
【００７５】
ここで、実施した場所は、実施例と同一のゴルフ練習場とし、使用したドライバは、実施例と同一のドライバとした。又、従来技術のゴルフティー４０の上下方向の大きさは、実施例のゴルフティー１０の上下方向の大きさと同一のものを使用した。尚、実施例での実験と比較例での実験との間においてゴルフプレイヤーの体力的な差異が生じないよう、実施例に係る試験を実施した日と異なる日（三日後）に、比較例に係る試験を実施した。
【００７６】
上述した試験を実施した結果、フルスイングの回数が３０回目で、比較例に係るゴルフティー４０の連結部材４３が切断して、ボール載せ部４２が飛散した。又、ボール載せ部４２が飛散した時点までのボールの飛距離の平均値を算出したところ、２１０ヤードであった。
【００７７】
上述した実施例に係る実験結果と比較例に係る実験結果とを比較すると、ゴルフティーの耐久性を示すフルスイングの回数は、実施例の方が比較例よりも多く、ゴルフティーの耐久性が向上していることが理解される。又、ボールの飛距離の平均値は、実施例の方が比較例よりも大きく、ボールの飛距離が伸びていることが理解される。
【００７８】
このように、本発明に係るゴルフティー１０は、前記皿部１６を備えるとともに、下端１１ａを緩やかに湾曲した凸面１１ａ１に成形した上半部１１と、前記差込部１７を備え、上端１２ａを前記凸面１１ａ１を受ける凹面１２ａ１に成形し、前記上半部１１とは別体とした下半部１２と、前記上半部１１の接合部外周と、下半部１２の接合部外周を嵌め込んで、前記凸面１１ａ１と凹面１２ａ１を軸方向に当接させた接合部１３ａを形成する、可撓性あるいは弾性を有するチューブ１３とを備えるよう構成している。
【００７９】
当該構成により、上半部１１を下半部１２の差込部１７の差込方向に対して所定の屈曲角で屈曲させた状態とすることが可能となるため、ゴルフティー１０を地面に対して斜めに差し込んだとしても、上半部１１の皿部１６を屈曲させて皿部１６のボール乗せ面１６ａを容易に水平面とすることが可能となる。そのため、前記差込部１７を斜めに差し込んだとしても、ゴルフティーを再度差し込み直す必要は無く、ボールを皿部１６に容易に乗せることが可能となる。
【００８０】
又、クラブヘッドＨで上半部１１の皿部１６のボールＢを打った際に、当該上半部１１の下端１１ａと下半部１２の上端１２ａとが摺動することによって、上半部１１がクラブヘッドＨの移動方向に円滑に屈曲する。ここで、連結部材であるチューブ１３が屈曲する訳ではないため、当該チューブ１３にクラブヘッドＨの打撃が伝達、蓄積され難い。そのため、当該ゴルフティー１０の耐用使用回数を増加させ、ゴルフティー１０の耐久性を向上させることが可能となる。又、屈曲した上半部１１が元に戻り難いため、クラブヘッドＨに対する当該上半部１１の摩擦抵抗を最小限に抑え、ボールＢの飛距離を伸ばすことが可能となる。
【００８１】
以上、本発明の第一の実施形態について説明したが、本発明は前記実施形態に限定させるものではなく、本発明の要旨の範囲内において適宜変更実施可能である。
【００８２】
＜本発明の第二の実施形態＞
次に、本発明の第二の実施形態に係るゴルフティー５０の構成について説明する。
【００８３】
図５は、本発明の第二の実施形態に係るゴルフティー５０示す図であり、図５ａは平面図、図５ｂは正面図、図５ｃは底面図、図５ｄは図５ａにおけるＡ−Ａ線断面図、図５ｅは分解正面図、図５ｆは上半部１１の下端１１ａと下半部１２の上端１２ａとを当接した際の状態を示す正面図である。尚、背面図、右側面図、左側面図は、正面図と同一にあらわれるため、省略する。
【００８４】
第一の実施形態と比較して、第二の実施形態の異なる点は、第一の付根部１１ｃと上半部１１の下端１１ａとの間に形成された段差１１ｄが、上端から下端へ下方に向かうに連れて緩やかに縮径されて凸面１１ａ１と連続している点（連続面１１ｅが形成されている点）である。尚、第一の実施形態では、段差１１ｄに対応する、上半部１１の凸面１１ａ１の上端の円柱形（厚さｔ）が、第二の実施形態では、所定の曲率半径ｒ８を有する連続面１１ｅを成していることになる。当該構成により、第一の実施形態と比較して、第二の実施形態では、上半部１１の下端１１ａの外周面１１ｂと、チューブ１３の内周面１３ｂとの当接面１３ｃ１の面積が小さくなるため（図６ｂに示す）、上半部１１が下半部１２に対して屈曲して当該上半部１１の下端１１ａの外周面１１ｂとチューブ１３の内周面１３ｂとの当接面１３ｃ１の位置がズレたとしても、当該位置ズレによるチューブ１３の内周面１３ｂの磨耗を抑えることが可能となる。尚、前記段差１１ｄと凸面１１ａ１との連続面１１ｅの曲率半径ｒ８（図６ｅに示す曲率半径ｒ８）は、３．２０ミリメートル（凸面１１ａ１の曲率半径ｒ５と同等）に設定されている。
【００８５】
又、第一の実施形態と比較して、第二の実施形態の異なる点は、第二の付根部１２ｃと下半部１２の上端１２ａとの間に形成された段差１２ｄが、下端から上端へ上方に向かうに連れて緩やかに縮径されて凹面１２ａ１と連続している点（連続面１２ｅが形成されている点）である。尚、第一の実施形態では、段差１２ｄに対応する、下半部１２の凹面１２ａ１が形成された上端１２ａの円柱形が、第二の実施形態では、所定の曲率半径ｒ９を有する連続面１２ｅを成していることになる。当該構成により、第一の実施形態と比較して、第二の実施形態では、下半部１２の上端１２ａの外周面１２ｂと、チューブ１３の内周面１３ｂとの当接面１３ｃ２の面積が小さくなるとともに（図６ｂ）、下半部１２の上端１２ａの外周面１２ｂの上方近傍には空洞Ａが形成される（図６ｄに示す空洞）。そのため、上半部１１が下半部１２に対して屈曲することにより、チューブ１３が当該下半部１２に対して屈曲したとしても、チューブ１３の内周面１３ｂが前記空洞Ａに存在（滞在）し、下半部１２の上端１２ａの外周面１２ｂと接触し難くなるため、チューブ１３の内周面１３ｂの磨耗を抑えることが可能となる。尚、前記段差１２ｄと凹面１２ａ１との連続面１２ｅの曲率半径ｒ９（図６ｅに示す曲率半径）は、５．００ミリメートルに設定されている。
【００８６】
又、第一の実施形態と比較して、第二の実施形態の異なる点は、第一の付根部１１ｃの上端の外周面に形成されたフランジ１４が、上端から上方に向かうに連れて緩やかに縮径されて上半部１１の本体と連続している点（連続面１４ｂが形成されている点）である。当該構成により、ボール乗せ面１６ａに乗せられたボールＢがゴルフクラブのクラブヘッドＨで打たれた際に、当該クラブヘッドＨの打撃が、上半部１１の本体とフランジ１４との付根近傍１４ｃに集中して蓄積され難くなり、当該付根近傍１４ｃから上半部１１の本体とフランジ１４とが切断されることを防止することが可能となる。
【００８７】
又、第一の実施形態と比較して、第二の実施形態の異なる点は、前記フランジ１４が、下端から下方に向かうに連れて所定の曲率半径ｒ１０（例えば、０．７０ミリメートル）で緩やかに縮径されて第一の付根部１１ｃと連続している点（連続面１４ｃが形成されている点）である。当該構成により、第一の実施形態と比較して、第二の実施形態では、チューブ１３の一方（上方）の開口部１３ｄ（上端に対応）が緩やかに当該連続面１４ｃに当接することになり、上半部１１と下半部１２との屈曲性を円滑にする。
【００８８】
又、第一の実施形態と比較して、第二の実施形態の異なる点は、第二の付根部１２ｃと下半部１２の上端１２ａとの間に形成された段差１２ｄが、下端から下方に向かうに連れて所定の曲率半径ｒ１１（例えば、０．７０ミリメートル）で緩やかに縮径されて第二の付根部１２ｃと連続している点（連続面１２ｆが形成されている点）である。当該構成により、第一の実施形態と比較して、第二の実施形態では、チューブ１３の他方（下方）の開口部１３ｅ（下端に対応）又はその周辺部が緩やかに当該連続面１２ｆに当接することになり、上半部１１と下半部１２との屈曲性を円滑にする。
【００８９】
又、第一の実施形態と比較して、第二の実施形態の異なる点は、第二の付根部１２ｃの下端の外周面に形成されたグランド係止部１５が、下端から下方に向かうに連れて緩やかに縮径されて下半部１２の本体と連続している点（連続面１５ｄが形成されている点）である。当該構成により、ボール乗せ面１６ａに乗せられたボールＢがゴルフクラブのクラブヘッドＨで打たれた際に、当該クラブヘッドＨの打撃が、下半部１２の本体とグランド係止部１５との付根近傍１５ｅに集中して蓄積され難くなり、当該付根近傍１５ｅから下半部１２の本体とグランド係止部１５とが切断されることを防止し、ゴルフティー全体の耐久性を向上させることが可能となる。
【００９０】
以上、本発明の第二の実施形態について説明したが、本発明は前記実施形態に限定させるものではなく、本発明の要旨の範囲内において適宜変更実施可能である。
【００９１】
＜本発明の他の実施形態＞
例えば、本発明の第一の実施形態に係るゴルフティー１０の上半部１１の本体の形態や寸法、下半部１２の本体の形態や寸法を変更して、本発明の第一の実施形態に係るゴルフティー１０を、図６ａに示すショートティー６１として変更したり、図６ｂに示すロングティー６２として変更しても構わない。又、本発明の第一の実施形態に係るゴルフティー１０では、下半部１２にグランド係止部１５を設けるよう構成したが、図６ｃに示すように、当該グランド係止部１５に代えて、下半部１２の第二の付根部１２ｃの下端の外周面に、外側に向かって突出した円環状のフランジ６３を形成するよう構成しても構わない。当該構成としても、上述した上半部１１のフランジ１４と同一の作用・効果を奏する。
【００９２】
当該設計変更は、もちろん、本発明の第二の実施形態に係るゴルフティー４０にも適用することは可能である。
【００９３】
又、本発明の第一の実施形態又は第二の実施形態における下半部１２と、上半部１１とは、可撓性を有する材料であれば、どのような材料で形成されても構わないが、例えば、ポリエチレンテレフタレート、ポリカーボネート、ＡＢＳ樹脂、ポリプロピレン等で形成されても構わない。又、前記チューブ１３は、可撓性あるいは弾性を有する材料であれば、どのような材料で形成されても構わないが、例えば、耐候性と弾性に優れるエラストマーであるフッ素系エラストマー等で形成されても構わない。又、前記チューブ１３の色彩は、どのような色彩でも構わないが、例えば、透明色、黒色、赤色、白色等に、前記上半部１１と前記下半部１２との色彩に合わせて適宜設計変更することが可能である。もちろん、前記上半部１１と前記下半部１２の色彩も、同様に、例えば、黒色、赤色、白色等に適宜設計変更することが可能である。
【産業上の利用可能性】
【００９４】
以上のように、本発明に係るゴルフティーは、ロングティー、ショートティーであっても有用であり、差込部を地面に対して斜めに差し込んだとしてもボールを皿部に乗せることが可能であり、耐久性に優れ、ボールの飛距離を伸ばすことが可能なゴルフティーとして有効である。
【符号の説明】
【００９５】
１０  ゴルフティー
１１  上半部
１２  下半部
１３  チューブ
１４  フランジ
１５  グランド係止部
１６  皿部
１７  差込部
【図１】
2011143024.tif 000003
【図２】
2011143024.tif 000004
【図３】
2011143024.tif 000005
【図４】
2011143024.tif 000006
【図５】
2011143024.tif 000007
【図６】
2011143024.tif 000008